(57)【要約】      （修正有）【課題】回転または脱落の可能性を低減させた吊り下げタグを提供する。【解決手段】吊り下げタグ１は、パッケージされた一群の物品のうちの第１の物品Ｐ１の上部を受け入れるように構成された開口を有し、第１の物品の上部と係合するように構成された係合フラップと、係合フラップに連結線２６によりヒンジ式に連結されたパネルと、を備える。また吊り下げタグは、パネルが、一群の物品のうちの第２の物品Ｐ２の上部と係合するように構成された安定化タブを備える。【選択図】図１
0003218593.tif 000002
【実用新案登録請求の範囲】
【請求項１】
パッケージされた一群の物品のうちの第１の物品の上部を受け入れるように構成された開口を有し、前記第１の物品の上部と係合するように構成された係合フラップと、
前記係合フラップにヒンジ式に連結されたパネルと、
を備える吊り下げタグであって、
前記パネルが、前記一群の物品のうちの第２の物品の上部と係合するように構成された安定化タブを備える、吊り下げタグ。
【請求項２】
前記パネルが、前記第１の物品の上部と係合するように構成された係合タブをさらに備え、
前記係合タブは、前記係合フラップと前記パネルとをヒンジ式に連結する連結線を分断し、前記吊り下げタグが展開された形態にあるときに前記開口の内側まで延在している、請求項１に記載の吊り下げタグ。
【請求項３】
前記安定化タブは、前記係合フラップの両側に配置された一組の安定化タブを備え、
前記一組の安定化タブおよび前記係合タブは、前記連結線の延長線上に整列しており、前記延長線を基準に同じ側に突設されている、請求項２に記載の吊り下げタグ。
【請求項４】
前記パネルは、広告パネルを備える、請求項１〜３のいずれか１項に記載の吊り下げタグ。
【請求項５】
一群の物品と、
前記一群の物品の周囲に少なくとも部分的に配置されて、前記一群の物品をパッケージするカートンであって、相互にヒンジ式に連結された複数の壁パネルを備え、前記一群の物品のうちの第１の物品および第２の物品の上部に使用者がそれぞれアクセスできるように構成されたカートンと、
前記一群の物品のうちの第１の物品に着脱可能に取り付けられ、前記カートンの外面の少なくとも一部に沿って配置された吊り下げタグと、を備える梱包品であって、
前記吊り下げタグが、
前記第１の物品の上部を受け入れる開口を有し、前記第１の物品の上部と係合する係合フラップと、
前記係合フラップにヒンジ式に連結されたパネルと、
を備え、
前記パネルが、前記第２の物品の上部と係合する安定化タブを備える、梱包品。
【請求項６】
前記パネルが、前記第１の物品の上部と係合する係合タブをさらに備え、
前記係合タブは、前記係合フラップと前記パネルとをヒンジ式に連結する連結線を分断し、前記吊り下げタグが展開された形態にあるときに前記パネルから前記開口の内側まで延在するように構成されている係合タブを備える、請求項５に記載の梱包品。
【請求項７】
前記安定化タブは、前記係合フラップの両側に配置された一組の安定化タブを備え、
前記一組の安定化タブおよび前記係合タブは、前記連結線の延長線上に整列しており、前記延長線を基準に同じ側に突設されている、請求項６に記載の梱包品。
【請求項８】
前記パネルは、広告パネルを備える、請求項５または６に記載の梱包品。
【考案の詳細な説明】
【技術分野】
【０００１】
本考案は、吊り下げタグおよび梱包品に関する。
【背景技術】
【０００２】
従来、複数の物品を梱包するカートンが知られている。このようなカートンは、例えば特許文献１に開示されている。特許文献１に開示のカートンは、底部パネルと、底部パネルに折目線を介してヒンジ連結された側壁パネルと、側壁パネルに折目線を介してヒンジ連結された上部パネルと、上部パネルに折目線を介してヒンジ連結された端部隣接パネルとを備える。上部パネルには、容器のそれぞれに対応する開口部を有する。これによって、特許文献１に開示のカートンは、複数の物品を梱包することができる。
【０００３】
一方、例えば新商品の販売時や、特別な販売キャンペーンの最中には、商品の広告宣伝効果をさらに高めることを目的として、商品の広告などを表示した吊り下げタグを商品の首部に取り付けて商品を販売する方法が知られている。このような吊り下げタグは、例えば特許文献２〜４に開示されている。特許文献２に開示の首掛けラベル（吊り下げタグ）は、首掛け開口が形成された襟巻き片と、この襟巻き片に設けられた表示片とを備える。特許文献３に開示のラベル（吊り下げタグ）は、シート状ラベル本体のシート領域内に、ボトル、瓶などの容器の首部が通過する孔が設けられている。特許文献４に開示の表示片支持具（吊り下げタグ）は、台紙と、台紙に折線を介して設けられた表示支持面と、を備える。台紙には、中空孔が形成されている。特許文献２〜４に開示の吊り下げタグは、商品の首部に取り付けることができる。
【先行技術文献】
【特許文献】
【０００４】
【特許文献１】米国特許第４７０６８１４号公報
【特許文献２】特開２００２−３４７８４１号公報
【特許文献３】特開２００２−１４００００号公報
【特許文献４】実開昭５８−３４１５８号公報
【考案の概要】
【考案が解決しようとする課題】
【０００５】
上記のようなカートンに梱包された一群の物品に上記のような吊り下げタグを取り付ける場合、吊り下げタグが物品の周方向に回転し、吊り下げタグの表示位置が不安定になる可能性がある。さらに、例えば輸送中など、吊り下げタグが回転することによって吊り下げタグが破損する可能性がある。
【０００６】
本考案は、上記事情に鑑みてなされたものであって、吊り下げタグの回転または脱落の可能性を低減させた吊り下げタグおよび梱包品の提供を目的とする。
【課題を解決するための手段】
【０００７】
上記課題を達成するため、本考案の吊り下げタグは、パッケージされた一群の物品のうちの第１の物品の上部を受け入れるように構成された開口を有し、前記第１の物品の上部と係合するように構成された係合フラップと、前記係合フラップにヒンジ式に連結されたパネルと、を備える。本考案の吊り下げタグは、前記パネルが、前記一群の物品のうちの第２の物品の上部と係合するように構成された安定化タブを備える。
【０００８】
上記の吊り下げタグにおいて、前記パネルが、前記第１の物品の上部と係合するように構成された係合タブをさらに備え、前記係合タブは、前記係合フラップと前記パネルとをヒンジ式に連結する連結線を分断し、前記吊り下げタグが展開された形態にあるときに前記開口の内側まで延在していてもよい。
【０００９】
上記の吊り下げタグにおいて、前記安定化タブは、前記係合フラップの両側に配置された一組の安定化タブを備え、前記一組の安定化タブおよび前記係合タブは、前記連結線の延長線上に整列しており、前記延長線を基準に同じ側に突設されていてもよい。
【００１０】
上記の吊り下げタグにおいて、前記パネルは、広告パネルを備えてもよい。
【００１１】
本考案の梱包品は、一群の物品と、前記一群の物品の周囲に少なくとも部分的に配置されて、前記一群の物品をパッケージするカートンであって、相互にヒンジ式に連結された複数の壁パネルを備え、前記一群の物品のうちの第１の物品および第２の物品の上部に使用者がそれぞれアクセスできるように構成されたカートンと、前記一群の物品のうちの第１の物品に着脱可能に取り付けられ、前記カートンの外面の少なくとも一部に沿って配置された吊り下げタグと、を備える。本考案の梱包品は、前記吊り下げタグが、前記第１の物品の上部を受け入れる開口を有し、前記第１の物品の上部と係合する係合フラップと、前記係合フラップにヒンジ式に連結されたパネルと、を備え、前記パネルが、前記第２の物品の上部と係合する安定化タブを備える。
【００１２】
上記の梱包品において、前記パネルが、前記第１の物品の上部と係合する係合タブをさらに備え、前記係合タブは、前記係合フラップと前記パネルとをヒンジ式に連結する連結線を分断し、前記吊り下げタグが展開された形態にあるときに前記パネルから前記開口の内側まで延在するように構成されている係合タブを備えてもよい。
【００１３】
上記の梱包品において、前記安定化タブは、前記係合フラップの両側に配置された一組の安定化タブを備え、前記一組の安定化タブおよび前記係合タブは、前記連結線の延長線上に整列しており、前記延長線を基準に同じ側に突設されていてもよい。
【００１４】
上記の梱包品において、前記パネルは、広告パネルを備えてもよい。
【考案の効果】
【００１５】
本考案によれば、吊り下げタグの回転または脱落の可能性を低減させた吊り下げタグおよび梱包品を提供することができる。
【図面の簡単な説明】
【００１６】
【図１】本発明の実施形態の梱包品を示す斜視図である。
【図２】本発明の実施形態の吊り下げタグが展開された形態を示す平面図である。
【図３】本発明の実施形態の係合フラップを示す拡大図である。
【図４】図１の梱包品において、第１の物品と吊り下げタグとの関係を示す側面図である。
【図５】図１の梱包品において、第２の物品と吊り下げタグとの関係を示す側面図である。
【図６】本発明の実施形態に適用されるカートンが展開された形態を示す平面図である。
【図７】本発明の実施形態に適用されるカートンが組み立てられた形態を示す斜視図である。
【図８】図６のカートンの首穴を示す拡大図である。
【図９】図１の梱包品において、吊り下げタグの開口と、カートンの首穴との関係を示す上面図である。
【考案を実施するための形態】
【００１７】
以下、図面を参照して、本考案の実施形態を説明する。なお、以下の説明で用いる図面は、特徴をわかりやすくするために、便宜上、特徴となる部分を拡大して示している場合があり、各構成要素の寸法比率などが実際と同じであるとは限らない。
【００１８】
＜梱包品＞
以下、図面を参照して、本考案の一実施形態を説明する。図１は、本発明の実施形態の梱包品を示す斜視図である。図１に示すように、本発明の実施形態の梱包品２００は、一群の物品Ｐと、カートン１００と、吊り下げタグ１と、を備える。
【００１９】
本発明の実施形態では、図１に示すように、一群の物品Ｐは第１〜第６の物品Ｐ１〜Ｐ６から構成される。一群の物品Ｐを構成する物品の数は、複数であれば特に限定されない。第１〜第６の物品Ｐ１〜Ｐ６は、２×３の配列で並べられているが、この配列に限定されない。
【００２０】
本発明の実施形態では、図１に示すように、第１の物品Ｐ１、第２の物品Ｐ２および第３の物品Ｐ３が一列に並べられている。第１の物品Ｐ１は、第２の物品Ｐ２と第３の物品Ｐ３との間に配置されている。また、第４の物品Ｐ４、第５の物品Ｐ５および第６の物品Ｐ６が一列に並べられている。第４の物品Ｐ４は、第５の物品Ｐ５と第６の物品Ｐ６との間に配置されている。
【００２１】
一群の物品Ｐとしては、ボトルを採用することができる。ボトルの代表的な例としては、ペットボトルや、ガラス瓶、ボトル缶、スプレー缶、カセットガスボンベなどが挙げられるが、これらに限定されない。本発明の実施形態は、種々のボトルに適用することが可能であり、ボトルの形状、サイズおよび材質はいずれも限定されない。一群の物品Ｐは、互いに異なっている。なお、一群の物品Ｐの形状、サイズおよび材質は互いに同一であっても、異なっていてもよい。図１には、同じ形状およびサイズを有する一群の物品Ｐが示されている。
【００２２】
本発明において、一群の物品Ｐに収容される製品の代表的な例としては、飲料が挙げられるが、これに限定されず、例えば、食料品、化粧品、医薬品、生活製品、自動車用品、農業用品、建築用品など、種々の製品であってもよい。
【００２３】
一群の物品Ｐは、使用者が手に取ることができる首部Ｎ（「物品の上部」とも称する）と、首部Ｎに連結する肩部Ｓと、肩部Ｓを基準に首部Ｎと反対側に連結する胴部Ｂと、首部Ｎの周囲に設けられたフランジＦと、首部Ｎに取り付けられた蓋Ｃと、を有する。
【００２４】
カートン１００は、一群の物品Ｐの周囲に配置されている。より具体的には、カートン１００は、一群の物品Ｐの肩部Ｓおよび胴部Ｂを覆っている。本発明の実施形態に適用されるカートンの代表的な例としては、バスケット型キャリア、ネックスルーラップアラウンドキャリア、ネックスルートップ係合キャリア、およびクレート型カートンなどが挙げられるが、これらに限定されない。本発明の実施形態は、種々のカートンを適用することが可能であり、カートンの形状、サイズおよび材質はいずれも限定されない。カートン１００の構成については後述する。
【００２５】
吊り下げタグ１は、一群の物品Ｐのうちの第１の物品Ｐ１に着脱可能に取り付けられている。吊り下げタグ１は、互いに平行な折目線（第１の連結線２６および第２の連結線２７）に沿って折り曲げられている。これにより、吊り下げタグ１がカートン１００に梱包された一群の物品Ｐに沿って配置される。吊り下げタグ１は、カートン１００の外面１００aに沿って配置されている。
【００２６】
＜吊り下げタグ＞
以下、図面を参照しながら、本発明の実施形態の吊り下げタグについて詳細に説明する。図２は、本発明の実施形態の吊り下げタグが展開された形態を示す平面図である。図３は、本発明の実施形態の係合フラップを示す拡大図である。
【００２７】
なお、以下の説明において、方向を明確にするために、参照符号Ｘの方向を「第一方向」とし、その第一方向Ｘに直交する参照符号Ｙの方向を「第二方向」とする。
【００２８】
本発明の実施形態の吊り下げタグ１は、所望の可撓性、強さ、および剛性を持つシートからなる。吊り下げタグ１の素材の代表的な例としては、板紙が挙げられるが、これに限定されず、例えば、紙と樹脂の複合材料或いは積層材料など、所望の可撓性、剛性を有する種々のシートを使用することができる。
【００２９】
図２に示すように、本発明の実施形態の吊り下げタグ１は、係合フラップ１２と、係合タブ２５と、パネル１５と、一組の安定化タブ１９と、を備える。
【００３０】
［係合フラップ］
係合フラップ１２は、略三角形状のフラップであり、第二方向Ｙに延びる中心軸ｌを対象軸として対称である。さらに、係合フラップ１２の先端側の頂点１２ａは、丸みが付けられている。さらに、係合フラップ１２の頂点１２ａから別の頂点１２ｂ、１２ｃまでの辺の傾きが一定ではない。より具体的には、係合フラップ１２の頂点１２ａから辺の中央付近までは傾きが漸増し、辺の中央付近から頂点１２ｂ、１２ｃまでは傾きが漸減している。
【００３１】
係合フラップ１２は、パネル１５に第１の連結線２６（単に「連結線」とも称する）を介してヒンジ式に連結されている。第１の連結線２６は、第一方向Ｘに沿って直線形で設けられている。第１の連結線２６は、係合タブ２５によって第１の連結線２６の一端側に位置する一方の連結線２８と、第１の連結線２６の他端側に位置する他方の連結線３０とに分断されている。
【００３２】
さらに、一方の連結線２８は、一方の連結線２８の一端側に位置する一方の折目線２８ａと、一方の連結線２８の他端側に位置する他方の折目線２８ｂと、一方の折目線２８ａと他方の折目線２８ｂとの間に亘って延在する切れ目線２８ｃと、を備えている。
【００３３】
一方の折目線２８ａおよび他方の折目線２８ｂは、山折り線であり、スジ入れ加工によって形成された溝状の線である。また、切れ目線２８ｃは、フルカット加工によって形成された貫通した切れ目である。なお、切れ目線２８ｃを、ハーフカット加工によって形成された非貫通の切れ目にすることも可能である。この非貫通の切れ目線２８ｃの切り口は、係合フラップ１２の表面側にある。そのような切れ目線２８ｃを備えた一方の連結線２８は、貫通した切れ目線を備えた連結線に比べて破断しにくい。よって、一方の連結線２８に切れ目線２８ｃが形成されているにもかかわらず、吊り下げタグ１の開口２０に第１の物品Ｐ１の首部Ｎを挿入する際に一方の連結線２８が破断しにくい。
【００３４】
他方の連結線３０は、上述した一方の連結線２８と略同一に形成されている。他方の連結線３０は、他方の連結線３０の一端側に位置する一方の折目線３０ａと、他方の連結線３０の他端側に位置する他方の折目線３０ｂと、一方の折目線３０ａと他方の折目線３０ｂとの間に亘って延在する切れ目線３０ｃと、を備えている。
【００３５】
係合フラップ１２は、第１の物品Ｐ１の首部Ｎ（図１を参照）と係合するように構成されている。図２に示すように、係合フラップ１２は、第１の物品Ｐ１の首部Ｎを受け入れるように構成された開口２０を有する。
【００３６】
本発明の実施形態の開口２０は、参照符号Ｏを中心点とする略円形の開口である。開口２０は、係合フラップ１２の中心軸ｌ上に中心点Ｏが位置するように係合フラップ１２に形成されている。
【００３７】
開口２０には、第１の物品Ｐ１の首部Ｎ（図１を参照）と係合する第１の補助タブ２２、第２の補助タブ２３および第３の補助タブ２４が設けられている。第１の補助タブ２２、第２の補助タブ２３および第３の補助タブ２４は、開口２０の縁部に、開口２０の周方向に沿って間隔をあけて並べられている。より具体的に説明すると、第１の補助タブ２２は、係合タブ２５に対向する位置に配置されている。一方、第２の補助タブ２３は、第３の補助タブ２４に対向する位置に配置されている。
【００３８】
図３に示すように、第１の補助タブ２２は、略矩形状のタブであり、開口２０の縁部から開口２０の内側へ突出している。第１の補助タブ２２の基端側の端部２２ａは、係合フラップ１２にタブ連結線３２を介してヒンジ式に連結されている。タブ連結線３２は、全体に亘って直線形に延在している。第１の補助タブ２２の先端側の端部、すなわち、端部２２ａと対向する端部２２ｂは、第１の物品Ｐ１の首部Ｎ（図１を参照）と係合するための自由端となっている。端部２２ｂは、直線形であり、タブ連結線３２に対して平行である。また、端部２２ｂの両側の角部はそれぞれ丸みが付けられている。
【００３９】
タブ連結線３２は、開口２０を画定する円周の外側に位置する。したがって、第１の補助タブ２２の端部２２ａは、開口２０の外側に位置する。タブ連結線３２は、タブ連結線３２の一端側に位置する一方の折目線３２ａと、タブ連結線３２の他端側に位置する他方の折目線３２ｂと、一方の折目線３２ａと他方の折目線３２ｂとの間に亘って延在する切れ目線３２ｃと、を備えている。切れ目線３２ｃが一方の折目線３２aと他方の折目線３２ｂとの間に配置されているため、タブ連結線３２に切れ目線３２ｃが形成されているにもかかわらず、吊り下げタグ１の開口２０に第１の物品Ｐ１の首部Ｎを挿入する際にタブ連結線３２が破断しにくい。
【００４０】
一方の折目線３２ａおよび他方の折目線３２ｂは、谷折り線であり、スジ入れ加工によって形成された溝状の線である。また、切れ目線３２ｃは、フルカット加工によって形成された貫通した切れ目である。なお、切れ目線３２ｃを、ハーフカット加工によって形成された非貫通の切れ目にすることも可能である。この非貫通の切れ目線３２ｃの切り口は、係合フラップ１２の表面側にある。そのような切れ目線３２ｃを備えたタブ連結線３２は、貫通した切れ目線を備えたタブ連結線に比べて破断しにくい。よって、タブ連結線３２に切れ目線３２ｃが形成されているにもかかわらず、吊り下げタグ１の開口２０に第１の物品Ｐ１の首部Ｎを挿入する際にタブ連結線３２が破断しにくい。
【００４１】
第２の補助タブ２３は、略台形状のタブであり、基端側から先端側にいくに従って幅が漸次小さくなっている。第２の補助タブ２３の基端側の端部２３ａは、係合フラップ１２にタブ連結線３３を介してヒンジ式に連結されている。第２の補助タブ２３の先端側の端部、すなわち、端部２３ａと対向する端部２３ｂは、第１の物品Ｐ１の首部Ｎと係合するための自由端となっている。端部２３ｂは、直線形であり、タブ連結線３３に対して平行である。端部２３ｂの両側の角部はそれぞれ丸みが付けられている。
【００４２】
タブ連結線３３は、開口２０を画定する円周の外側に位置する。したがって、第２の補助タブ２３の端部２３ａは、開口２０の外側に位置する。タブ連結線３３は、タブ連結線３３の一端側に位置する一方の折目線３３ａと、タブ連結線３３の他端側に位置する他方の折目線３３ｂと、一方の折目線３３ａと他方の折目線３３ｂとの間に亘って延在する切れ目線３３ｃと、を備えている。
【００４３】
一方の折目線３３ａおよび他方の折目線３３ｂは、谷折り線であり、スジ入れ加工によって形成された溝状の線である。また、切れ目線３３ｃは、フルカット加工によって形成された貫通した切れ目である。なお、切れ目線３３ｃを、上述した切れ目線３２ｃと同様に、ハーフカット加工によって形成された非貫通の切れ目にすることも可能である。この非貫通の切れ目線３３ｃの切り口は、係合フラップ１２の表面側にある。
【００４４】
第３の補助タブ２４は、第２の補助タブ２３と略同一である。したがって、第２の補助タブ２３と同様の構成については説明を省略する。第３の補助タブ２４の基端側の端部２４ａは、係合フラップ１２にタブ連結線３４を介してヒンジ式に連結されている。第３の補助タブ２４の先端側の端部、すなわち、端部２４ａと対向する端部２４ｂは、第１の物品Ｐ１の首部Ｎと係合するための自由端となっている。
【００４５】
タブ連結線３４は、上述したタブ連結線３３と同様の構成からなり、タブ連結線３４の一端側に位置する一方の折目線３４ａと、タブ連結線３４の他端側に位置する他方の折目線３４ｂと、一方の折目線３４ａと他方の折目線３４ｂとの間に亘って延在する切れ目線３４ｃと、を備えている。
【００４６】
［係合タブ］
図３に示すように、係合タブ２５は、パネル１５と一体に設けられている。係合タブ２５は、略台形状のタブであり、基端側から先端側にいくに従って幅が漸次小さくなっている。係合タブ２５の基端側の端部２５ａは、第１の連結線２６を分断しつつ、パネル１５にヒンジ式に連結されている。係合タブ２５の先端側の端部、すなわち、端部２５ａと対向する端部２５ｂは、第１の物品Ｐ１の首部Ｎ（図１を参照）と係合するための自由端となっている。端部２５ｂは直線形である。端部２５ｂの両側の角部はそれぞれ丸みが付けられている。
【００４７】
［パネル］
図２に示すように、パネル１５は、略矩形状のパネルである。第１の連結線２６の延長線１５ａは、パネル１５の一端側の辺と一致している。
【００４８】
パネル１５は、第２の連結線２７によってヒンジ式に連結された第１のパネル１４および第２のパネル１６を備えており、すなわち、第２の連結線２７を介して第１のパネル１４と第２のパネル１６とに区分けされている。第２の連結線２７は、第一方向Ｘに沿って直線形で設けられている。第１のパネル１４は、第２の連結線２７を基準に係合フラップ１２側に位置している。
【００４９】
図１に示すように、使用者は第１の連結線２６を回動軸として係合フラップ１２を回動させることで、係合フラップ１２を第１のパネル１４に対して傾斜させることができる。これにより、第１の物品Ｐ１の肩部Ｓと第１のパネル１４との間の空間を小さくすることができる。一方、使用者は第２の連結線２７を回動軸として第１のパネル１４を回動させることで、第１のパネル１４を第２のパネル１６に対して傾斜させることができる。これにより、第１の物品Ｐ１の胴部Ｂと第２のパネル１６との間の空間を小さくすることができる。これに関連して、第１のパネル１４の高さ、すなわち延長線１５ａと第２の連結線２７との間隔は、一群の物品Ｐの肩部Ｓの長さに応じて適宜設定される。一方、第２のパネル１６の高さ、すなわちパネル１５の他端側の辺１５ｂと第２の連結線２７との間隔は、一群の物品Ｐの胴部Ｂの長さに応じて適宜設定される。
【００５０】
第１のパネル１４と第２のパネル１６との少なくとも一方は、広告パネルであってもよい。
【００５１】
［一組の安定化タブ］
図２に示すように、一組の安定化タブ１９は、パネル１５に設けられている。一組の安定化タブ１９および係合タブ２５は、第１の連結線２６の延長線１５ａ上に整列しており、延長線１５ａを基準に同じ側に配置されている。
【００５２】
一組の安定化タブ１９は、係合フラップ１２の両側に配置されている。一組の安定化タブ１９は、第１の安定化タブ１７および第２の安定化タブ１８を備える。第１の安定化タブ１７は、係合フラップ１２を基準に一方側に配置されている。第２の安定化タブ１８は、係合フラップ１２を基準に他方側に配置されている。
【００５３】
第１の安定化タブ１７は、第２の物品Ｐ２の首部Ｎ２（図１を参照）と係合するように構成されている。第１の安定化タブ１７は、略台形状のタブであり、基端側から先端側にいくに従って幅が漸次小さくなっている。第１の安定化タブ１７の基端側の端部１７ａは、第１の連結線２６の延長線１５ａを介してパネル１５にヒンジ式に連結されている。第１の安定化タブ１７の先端側の端部、すなわち、端部１７ａと対向する端部１７ｂは、第２の物品Ｐ２の首部Ｎ２と係合するための自由端となっている。端部１７ｂは直線形であり、延長線１５ａに対して平行である。端部１７ｂの両側の角部はそれぞれ丸みが付けられている。
【００５４】
第２の安定化タブ１８は、第３の物品Ｐ３の首部Ｎ３（図１を参照）と係合するように構成されている。第２の安定化タブ１８は、第１の安定化タブ１７と略同一である。したがって、第１の安定化タブ１７と同様の構成については説明を省略する。第２の安定化タブ１８の基端側の端部１８ａは、第１の連結線２６の延長線１５ａを介してパネル１５にヒンジ式に連結されている。第２の安定化タブ１８の先端側の端部、すなわち、端部１８ａと対向する端部１８ｂは、第３の物品Ｐ３の首部Ｎ３（図１を参照）と係合するための自由端となっている。
【００５５】
＜係合＞
図４は、図１の梱包品において、第１の物品と吊り下げタグとの関係を示す側面図である。なお、図４では、図面を理解しやすくするため、第１の物品Ｐ１および吊り下げタグ１以外の構成要素を図示していない。さらに、同様の目的で、吊り下げタグ１の一組の安定化タブ１９（図２を参照）を図示していない。
【００５６】
使用者は、第１の補助タブ２２をタブ連結線３２を回動軸として回動させることができる。これにより、使用者は第１の補助タブ２２を係合フラップ１２に対して傾斜させつつ、第１の物品Ｐ１の首部Ｎの外周面と接触させることができる。第１の補助タブ２２の場合と同様に、使用者は第２の補助タブ２３および第３の補助タブ２４（図２を参照）を係合フラップ１２に対して傾斜させつつ、第１の物品Ｐ１の首部Ｎの外周面と接触させることができる。その結果、吊り下げタグ１が第１の物品Ｐ１の首部Ｎに安定的に保持される。
【００５７】
さらに、タブ連結線３２は切れ目線３２ｃを備えているので、第１の補助タブ２２をタブ連結線３２を回動軸として回動させると、第１の補助タブ２２が湾曲しやすくなり、第１の物品Ｐ１の首部Ｎの外周面に沿いやすくなる。第１の補助タブ２２の場合と同様に、第２の補助タブ２３および第３の補助タブ２４（図２を参照）も湾曲しやすくなり、第１の物品Ｐ１の首部Ｎの外周面に沿いやすくなる。その結果、吊り下げタグ１が第１の物品Ｐ１の首部Ｎにさらに安定的に保持される。
【００５８】
一方、係合タブ２５とパネル１５との間には第１の連結線２６が設けられていない。そのため、使用者が第１の連結線２６を回動軸として係合フラップ１２を回動させると、係合タブ２５は係合フラップ１２から離される。その結果、係合タブ２５を係合フラップ１２に対して傾斜させつつ、第１の物品Ｐ１の首部Ｎの外周面と接触させることができる。このとき、係合タブ２５には、係合タブ２５の剛性によって第１の物品Ｐ１の首部Ｎに向かって押し付ける力が働く。これにより、吊り下げタグ１が第１の物品Ｐ１の首部Ｎに安定的に保持される。
【００５９】
図５は、図１の梱包品において、第２の物品と吊り下げタグとの関係を示す側面図である。なお、図５では、図面を理解しやすくするため、第２の物品Ｐ２および吊り下げタグ１以外の構成要素を図示していない。さらに、同様の目的で、吊り下げタグ１の係合タブ２５（図２を参照）を図示していない。
【００６０】
図５に示すように、使用者は第１の安定化タブ１７の端部１７ｂを第２の物品Ｐ２の首部Ｎの外周面と接触させることができる。これにより、吊り下げタグ１の第１の物品Ｐ１の周方向への回転が阻害される。さらに、第３の物品Ｐ３と吊り下げタグ１との関係についても図５の第２の物品Ｐ２および第１の安定化タブ１７を、第３の物品Ｐ３および第２の安定化タブ１８に置き換えることによって説明することができる。使用者は第２の安定化タブ１８の端部１８ｂを第３の物品Ｐ３の首部Ｎの外周面と接触させることができる。これにより、吊り下げタグ１の第１の物品Ｐ１の周方向への回転が阻害される。この回転阻害は、第２の物品Ｐ２および第３の物品Ｐ３の首部Ｎの径によらないので、吊り下げタグ１は首部Ｎの径が異なる複数の物品からなる一群の物品Ｐに対してより効果を発揮すると考えられる。
【００６１】
＜カートン＞
以下、図面を参照しながら、本発明の実施形態に適用されるカートンの一例について詳細に説明する。図６は、本発明の実施形態に適用されるカートンが展開された形態を示す平面図である。図７は、本発明の実施形態に適用されるカートンが組み立てられた形態を示す斜視図である。
【００６２】
図６に示すカートン１００は、一群の物品Ｐ（図１を参照）をパッケージするように構成されている。さらに、カートン１００は、一群の物品Ｐ（図１を参照）のうちの第１の物品Ｐ１および第２の物品Ｐ２の上部に使用者がそれぞれアクセスできるように構成されている。カートン１００は、所望の可撓性、強さ、および剛性を持つシートからなる。
【００６３】
カートン１００は、互いに一体的に連結した複数のパネルからなるパネル構造体１０１を備える。具体的に説明すると、パネル構造体１０１は、頂壁パネル１１０と、頂壁パネル１１０の第二方向Ｙの一端側に配置された第１の側壁パネル１１１と、頂壁パネル１１０の第二方向Ｙの他端側に配置された第２の側壁パネル１１２と、を備えている。
【００６４】
頂壁パネル１１０は、略矩形状のパネルである。頂壁パネル１１０の第二方向Ｙの中央位置には、第一方向Ｘに沿って頂壁パネル１１０の全長に亘って延在する折目線１５０が形成されている。この折目線１５０によって、頂壁パネル１１０は、第１の頂壁パネル１１３と第２の頂壁パネル１１４とに区分されている。頂壁パネル１１０は、折目線１５０で折り曲げられることで第１の頂壁パネル１１３と第２の頂壁パネル１１４とを重ね合わせるように折り畳むことができる。また、頂壁パネル１１０には、梱包品２００（図１を参照）を持つのに使用される２つの吊持部１０５が形成されている。２つの吊持部１０５は、それぞれ半長方円形状の切れ目線１６０からなる。切れ目線１６０によって画定されるタブを指などで押し込むことで、指やフック等を挿入するための穴が形成される。２つ吊持部１０５は、頂壁パネル１１０の中央に位置しており、折目線１５０上に配置されている。
【００６５】
第１の側壁パネル１１１は、略Ｔ字形のパネルであり、第一方向Ｘに沿って延在するパネル連結線１５１を介して頂壁パネル１１０にヒンジ式に連結されている。パネル構造体１０１をパネル連結線１５１で折り曲げることで、第１の側壁パネル１１１を頂壁パネル１１０に対して傾斜させることができる（図７を参照）。
【００６６】
第１の側壁パネル１１１には、第１の側壁パネル１１１を第一方向Ｘに沿って横断する折目線１５２が形成されており、この折目線１５２によって、第１の側壁パネル１１１は、複数の物品Ｐの肩部Ｓ（図１を参照）を覆うための第１の肩パネル１１５と、複数の物品Ｐの胴部Ｂ（図１を参照）を覆うための第１の胴部パネル１１６とに区分されている。第１の胴部パネル１１６には、第１の胴部パネル１１６を第二方向Ｙに沿って横断する複数の折目線１５３が形成されている。図７に示すように、第１の側壁パネル１１１を折目線１５２で屈曲させることで、第１の肩パネル１１５を第１の胴部パネル１１６に対して傾斜させることができる。また、第１の胴部パネル１１６を折目線１５３で屈曲させることで、第１の胴部パネル１１６を複数の物品Ｐ（図１を参照）を取り囲むように変形させることができる。
【００６７】
第２の側壁パネル１１２は、第一方向Ｘの長さ寸法が第１の側壁パネル１１１と異なるが、第１の側壁パネル１１１とほぼ同様の構成からなり、第１の側壁パネル１１１と第２の側壁パネル１１２とは折目線１５０に対して線対称となっている。すなわち、第２の側壁パネル１１２は、第１の側壁パネル１１１と同様に、第一方向Ｘに沿って延在するパネル連結線１６１を介して頂壁パネル１１０にヒンジ式に連結されている。また、第２の側壁パネル１１２は、第１の側壁パネル１１１と同様に、折目線１６２，１６３が形成されており、第２の肩パネル１１７と第２の胴部パネル１１８とに区分されている。上記した第２の側壁パネル１１２の各構成要素については、第１の側壁パネル１１１のものと同様であるため、詳細な説明は省略する。
【００６８】
パネル構造体１０１には、一群の物品Ｐの首部Ｎを挿入するための６つの首穴１０２が形成されている。これらの首穴１０２は、一群の物品Ｐの配列（図１を参照）に対応して配置されており、すなわち、２×３の配列で形成されている。
【００６９】
図７に示すように、カートン１００では、第１の側壁パネル１１１の第１の胴部パネル１１６の第一方向Ｘ（図６を参照）の一端部と、第２の側壁パネル１１２の第２の胴部パネル１１８の第一方向Ｘ（図６を参照）の一端部とが、接着剤などで接合され、また、第１の側壁パネル１１１の第１の胴部パネル１１６の第一方向Ｘ（図６を参照）の他端部と、第２の側壁パネル１１２の第２の胴部パネル１１８の第一方向Ｘ（図６を参照）の他端部とが、接着剤などで接合されている。これにより、第１の胴部パネル１１６と第２の胴部パネル１１８とが組み合わされて環状となり、その環状の胴部パネル１１６，１１８の中に一群の物品Ｐ（図１を参照）を収容させることができるようになる。
【００７０】
一群の物品Ｐの胴部Ｂは、環状の胴部パネル１１６，１１８によって取り囲まれて保持される。また、肩パネル１１５または肩パネル１１７は、頂壁パネル１１０および胴部パネル１１６または胴部パネル１１８に対して傾斜した状態で肩部Ｓを覆っている。６つの首穴１０２には、一群の物品Ｐの首部Ｎがそれぞれ挿入される。
【００７１】
図８は、図６のカートンの首穴を示す拡大図である。図８に示すように、首穴１０２は、Ｏ１を中心点とする略円形の開口である。首穴１０２の内側には、物品Ｐ（図１を参照）を係止するための複数の補助タブ１０４が配置されている。複数の補助タブ１０４は、首穴１０２の縁部に、首穴１０２の周方向に沿って間隔をあけて並べられている。
【００７２】
補助タブ１０４は、略矩形状のタブであり、首穴１０２の縁部から首穴１０２の内側へ突出している。補助タブ１０４の基端は、頂壁パネル１１０にタブ連結線１６６を介してヒンジ式に連結されている。タブ連結線１６６は、全体に亘って直線形に延在している。補助タブ１０４の先端、すなわち、タブ連結線１６６の反対側の端部１０８は、物品Ｐの首部Ｎ（図１を参照）を係止するための自由端となっている。補助タブ１０４の端部１０８は、直線形であり、タブ連結線１６６に対して平行である。また、端部１０８の両側の角部はそれぞれ丸みが付けられている。
【００７３】
タブ連結線１６６は、タブ連結線１６６の一端側に位置する折目線１６７と、タブ連結線１６６の他端側に位置する折目線１６８と、折目線１６７と折目線１６８との間に亘って延在する切れ目線１６９と、を備えている。上記したタブ連結線１６６を回動軸として補助タブ１０４を回動させることで、補助タブ１０４を頂壁パネル１１０に対して傾斜させることができる。
【００７４】
図９は、図１の梱包品において、吊り下げタグの開口と、カートンの首穴との関係を示す上面図である。なお、図９では、図面を理解しやすくするため、第１の物品Ｐ１を図示していない。図９に示すように、吊り下げタグ１の第１〜第３の補助タブ２２〜２４および係合タブ２５の間にカートン１００の補助タブ１０４が配置されるように構成されている。これにより、吊り下げタグ１およびカートン１００が取り付けられた状態が維持される。
【００７５】
複数の補助タブ１０４は、頂壁パネル１１０に対して傾斜しており、複数の補助タブ１０４の端部１０８が、一群の物品Ｐの首部ＮのフランジＦに下方から係止する。複数の補助タブ１０４によって物品Ｐが支持されている。
【００７６】
このようなカートンは、使用者がカートンの外側から一群の物品のうちの互いに異なる少なくとも第１の物品Ｐ１および第２の物品Ｐ２の首部Ｎを手に取ることができるようになっている。
【００７７】
＜効果＞
以上、本発明の実施形態によれば、一群の物品にそれぞれ対応する複数の吊り下げタグを用意する必要がない。さらに、本発明の実施形態によれば、一組の安定化タブによって吊り下げタグの回転の可能性を低減させることができる。これにより、パネルの表示位置が安定化する。さらに、吊り下げタグの回転による吊り下げタグの破損の可能性を低減させることができる。
【００７８】
また、本発明の実施形態によれば、係合タブ２５および一組の安定化タブ１９によって吊り下げタグ１の回転または脱落の可能性を低減させることができる。さらに、本発明の実施形態によれば、吊り下げタグ１を首部Ｎの径が異なる複数の物品からなる一群のＰに対しても適用することができる。
【００７９】
＜変形例＞
以上、本発明に係る吊り下げタグおよび梱包品の実施の形態について説明したが、本発明は上記した実施の形態に限定されるものではなく、その趣旨を逸脱しない範囲で適宜変更可能である。例えば、本発明の実施形態では、吊り下げタグは必ずしも一組の安定化タブを備えていなくてもよく、１つの安定化タブを備えていてもよい。
【００８０】
また、例えば、本発明の実施形態では、吊り下げタグは必ずしも係合タブを備えていなくてもよい。
【００８１】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００８２】
１  吊り下げタグ
１２  係合フラップ
１２ａ  頂点
１２ｂ  頂点
１４  第１のパネル
１５  パネル
１５ａ  延長線
１５ｂ  辺
１６  第２のパネル
１７  第１の安定化タブ
１７ａ  端部
１７ｂ  端部
１８  第２の安定化タブ
１８ａ  端部
１８ｂ  端部
１９  安定化タブ
２０  開口
２２  第１の補助タブ
２２ａ  端部
２２ｂ  端部
２３  第２の補助タブ
２３ａ  端部
２３ｂ  端部
２４  第３の補助タブ
２４ａ  端部
２４ｂ  端部
２５  係合タブ
２５ａ  端部
２５ｂ  端部
２６  第１の連結線（連結線）
２７  第２の連結線
２８  一方の連結線
２８ａ  一方の折目線
２８ｂ  他方の折目線
２８ｃ  切れ目線
３０  他方の連結線
３０ａ  一方の折目線
３０ｂ  他方の折目線
３０ｃ  切れ目線
３２  タブ連結線
３２ａ  一方の折目線
３２ｂ  他方の折目線
３２ｃ  切れ目線
３３  タブ連結線
３３ａ  一方の折目線
３３ｂ  他方の折目線
３３ｃ  切れ目線
３４  タブ連結線
３４ａ  一方の折目線
３４ｂ  他方の折目線
３４ｃ  切れ目線
１００  カートン
１００ａ  外面
１０１  パネル構造体
１０２  首穴
１０４  補助タブ
１０５  吊持部
１０８  端部
１１０  頂壁パネル
１１１  第１の側壁パネル
１１２  第２の側壁パネル
１１３  第１の頂壁パネル
１１４  第２の頂壁パネル
１１５  肩パネル
１１５  第１の肩パネル
１１６  胴部パネル
１１６  第１の胴部パネル
１１７  肩パネル
１１７  第２の肩パネル
１１８  胴部パネル
１１８  第２の胴部パネル
１５０  折目線
１５１  パネル連結線
１５２  折目線
１５３  折目線
１６０  切れ目線
１６１  パネル連結線
１６２  折目線
１６３  折目線
１６６  タブ連結線
１６７  折目線
１６８  折目線
１６９  切れ目線
２００  梱包品
【図１】
0003218593.tif 000003
【図２】
0003218593.tif 000004
【図３】
0003218593.tif 000005
【図４】
0003218593.tif 000006
【図５】
0003218593.tif 000007
【図６】
0003218593.tif 000008
【図７】
0003218593.tif 000009
【図８】
0003218593.tif 000010
【図９】
0003218593.tif 000011